(57)【要約】【課題】効率的にリレーノードを無線基地局に接続する。【解決手段】本発明に係る移動通信方法は、ＲＲＣプロトコルを設定する手順において、無線基地局ＤｅＮＢが、リレーノードＲＮに対して、Ｓ１プロトコルを設定するために交換局ＭＭＥが必要とする第１所定情報を通知する工程Ａと、無線基地局ＤｅＮＢが、交換局ＭＭＥに対して、所定情報を通知する工程Ｂとを有する。【選択図】図３
2011023873.tif 000002
【特許請求の範囲】
【請求項１】
リレーノードと無線基地局との間で、第１プロトコル及び該第１プロトコルの上位プロトコルである第２プロトコルが終端する移動通信システムにおいて、該リレーノードを該無線基地局に接続する移動通信方法であって、
前記第１プロトコルを設定する手順において、前記無線基地局が、前記リレーノードに対して、前記第２プロトコルを設定するために交換局が必要とする第１所定情報を通知する工程Ａと、
前記無線基地局が、前記交換局に対して、前記所定情報を通知する工程Ｂとを有することを特徴とする移動通信方法。
【請求項２】
前記第１プロトコルを設定する手順において、前記工程Ｂを行うことを特徴とする請求項１に記載の移動通信方法。
【請求項３】
前記第１プロトコルを設定する手順において、前記無線基地局が、前記リレーノードに対して、該無線基地局と周辺無線基地局との間で終端する第３プロトコルを設定するために該周辺無線基地局が必要とする第２所定情報を通知する工程を更に有することを特徴とする請求項１又は２に記載の移動通信方法。
【請求項４】
前記第１プロトコルは、ＲＲＣプロトコルであり、
前記第２プロトコルは、Ｓ１プロトコルであり、
前記第１所定情報は、ＴＡＣ、ＰＬＭＮ-ＩＤ及びＣＳＧ-ＩＤであることを特徴とする請求項１乃至３のいずれか一項に記載の移動通信方法。
【請求項５】
前記第３プロトコルは、Ｘ２プロトコルであり、
前記第２所定情報は、「Ｓｅｒｖｅｄ  Ｃｅｌｌ  Ｉｎｆｏｒｍａｔｉｏｎ」であることを特徴とする請求項４に記載の移動通信方法。
【請求項６】
リレーノードと無線基地局との間で、第１プロトコル及び該第１プロトコルの上位プロトコルである第２プロトコルが終端する移動通信システムにおいて用いられる無線基地局であって、
前記第１プロトコルを設定する手順において、前記リレーノードに対して、前記第２プロトコルを設定するために交換局が必要とする第１所定情報を通知するように構成されているリレーノード側インターフェイスと、
前記交換局に対して、前記所定情報を通知するように構成されている交換局側インターフェイスとを具備することを特徴とする無線基地局。
【請求項７】
前記交換局側インターフェイスは、前記第１プロトコルを設定する手順において、前記交換局に対して、前記所定情報を通知するように構成されていることを特徴とする請求項６に記載の無線基地局。
【請求項８】
前記リレーノード側インターフェイスは、前記第１プロトコルを設定する手順において、前記リレーノードに対して、前記無線基地局と周辺無線基地局との間で終端する第３プロトコルを設定するために該周辺無線基地局が必要とする第２所定情報を通知するように構成されていることを特徴とする請求項６又は７に記載の無線基地局。
【請求項９】
前記第１プロトコルは、ＲＲＣプロトコルであり、
前記第２プロトコルは、Ｓ１プロトコルであり、
前記第１所定情報は、ＴＡＣ、ＰＬＭＮ-ＩＤ及びＣＳＧ-ＩＤであることを特徴とする請求項６乃至８のいずれか一項に記載の無線基地局。
【請求項１０】
前記第３プロトコルは、Ｘ２プロトコルであり、
前記第２所定情報は、「Ｓｅｒｖｅｄ  Ｃｅｌｌ  Ｉｎｆｏｒｍａｔｉｏｎ」であることを特徴とする請求項９に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
ここで、かかる移動通信システムにおいて、図１に示すような構成を採用した場合、図５に示すように、リレーノードＲＮと無線基地局ＤｅＮＢとの間で、ＲＲＣプロトコルの設定処理に相当する処理及びＳ１プロトコルの設定処理に相当する処理の双方が必要となる。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  ＴＳ３６．３２１（Ｖ８．６．０）、「Ｍｅｄｉｕｍ  Ａｃｃｅｓｓ  Ｃｏｎｔｒｏｌ（ＭＡＣ）ｐｒｏｔｏｃｏｌ  ｓｐｅｃｉｆｉｃａｔｉｏｎ」、２００９年６月
【非特許文献５】３ＧＰＰ  ＴＳ３６．３２２（Ｖ８．６．０）、「Ｒａｄｉｏ  Ｌｉｎｋ  Ｃｏｎｔｒｏｌ（ＲＬＣ）ｐｒｏｔｏｃｏｌ  ｓｐｅｃｉｆｉｃａｔｉｏｎ」、２００９年６月
【非特許文献６】３ＧＰＰ  ＴＳ３６．３２３（Ｖ８．６．０）、「Ｐａｃｋｅｔ  Ｄａｔａ  Ｃｏｎｖｅｒｇｅｎｃｅ  Ｐｒｏｔｏｃｏｌ（ＰＤＣＰ）ｓｐｅｃｉｆｉｃａｔｉｏｎ」、２００９年６月
【非特許文献７】３ＧＰＰ  ＴＳ３６．１０４（Ｖ８．６．０）、「Ｂａｓｅ  Ｓｔａｔｉｏｎ（ＢＳ）ｒａｄｉｏ  ｔｒａｎｓｍｉｓｓｉｏｎ  ａｎｄ  ｒｅｃｅｐｔｉｏｎ」、２００９年６月
【発明の概要】
【発明が解決しようとする課題】
【０００５】
しかしながら、図５に示すように、リレーノードＲＮと無線基地局ＤｅＮＢとの間のＳ１プロトコルの設定処理において、ステップＳ２０１９でリレーノードＲＮから無線基地局ＤｅＮＢに送信される「Ｓ１  Ｓｅｔｕｐ  Ｒｅｑｕｅｓｔ」は、ステップＳ２０２０で無線基地局ＤｅＮＢから交換局ＭＭＥにそのまま転送され、ステップＳ２０２１で交換局ＭＭＥから無線基地局ＤｅＮＢに送信される「Ｓ１  Ｓｅｔｕｐ  Ｒｅｓｐｏｎｓｅ」は、ステップＳ２０２２で無線基地局ＤｅＮＢからリレーノードＲＮにそのまま転送される。
【０００６】
同様に、ステップＳ２０２３でリレーノードＲＮから無線基地局ＤｅＮＢに送信される「Ｘ２  Ｓｅｔｕｐ  Ｒｅｑｕｅｓｔ」は、ステップＳ２０２４で無線基地局ＤｅＮＢから周辺無線基地局ＤｅＮＢにそのまま転送され、ステップＳ２０２５で周辺無線基地局ＤｅＮＢから無線基地局ＤｅＮＢに送信される「Ｘ２  Ｓｅｔｕｐ  Ｒｅｓｐｏｎｓｅ」は、ステップＳ２０２６で無線基地局ＤｅＮＢからリレーノードＲＮにそのまま転送される。
【０００７】
したがって、リレーノードＲＮから無線基地局ＤｅＮＢとの間で行われるステップＳ２０１９、Ｓ２０２２、Ｓ２０２３及びＳ２０２６の動作は、非効率であるという問題点があった。
【０００８】
そこで、本発明は、上述の課題に鑑みてなされたものであり、効率的にリレーノードを無線基地局に接続することが可能な移動通信方法及び無線基地局を提供することを目的とする。
【課題を解決するための手段】
【０００９】
本発明の第１の特徴は、リレーノードと無線基地局との間で、第１プロトコル及び該第１プロトコルの上位プロトコルである第２プロトコルが終端する移動通信システムにおいて、該リレーノードを該無線基地局に接続する移動通信方法であって、前記第１プロトコルを設定する手順において、前記無線基地局が、前記リレーノードに対して、前記第２プロトコルを設定するために交換局が必要とする第１所定情報を通知する工程Ａと、前記無線基地局が、前記交換局に対して、前記所定情報を通知する工程Ｂとを有することを要旨とする。
【００１０】
本発明の第２の特徴は、リレーノードと無線基地局との間で、第１プロトコル及び該第１プロトコルの上位プロトコルである第２プロトコルが終端する移動通信システムにおいて用いられる無線基地局であって、前記第１プロトコルを設定する手順において、前記リレーノードに対して、前記第２プロトコルを設定するために交換局が必要とする第１所定情報を通知するように構成されているリレーノード側インターフェイスと、前記交換局に対して、前記所定情報を通知するように構成されている交換局側インターフェイスとを具備することを要旨とする。
【発明の効果】
【００１１】
以上説明したように、本発明によれば、効率的にリレーノードを無線基地局に接続することが可能な移動通信方法及び無線基地局を提供することができる。
【図面の簡単な説明】
【００１２】
【図１】本発明の第１の実施形態に係る移動通信システムのプロトコルスタック図である。
【図２】本発明の第１の実施形態に係る無線基地局の機能ブロック図である。
【図３】本発明の第１の実施形態に係る移動通信システムの動作を示すシーケンス図である。
【図４】本発明の第１の実施形態に係る移動通信システムにおけるハンドオーバ処理について説明するための図である。
【図５】従来の移動通信システムの動作を示すシーケンス図である。
【発明を実施するための形態】
【００１３】
（本発明の第１の実施形態に係る移動通信システム）
図１乃至図４を参照して、本発明の第１の実施形態に係る移動通信システムについて説明する。
【００１４】
図１に示すように、本実施形態に係る移動通信システムは、ＬＴＥ-Ａｄｖａｎｃｅｄ方式の移動通信システムであって、コアネットワークノード内の交換局ＭＭＥや、無線基地局ＤｅＮＢや、リレーノードＲＮ等を具備している。
【００１５】
ここで、本実施形態に係る移動通信システムでは、無線基地局ＤｅＮＢと移動局ＵＥとの間のインターフェイスが、Ｕｕインターフェイス（無線インターフェイス）であり、無線基地局ＤｅＮＢとリレーノードＲＮとの間のインターフェイスが、Ｕｎインターフェイス（無線インターフェイス）であり、リレーノードＲＮと移動局ＵＥとの間のインターフェイスが、Ｕｕインターフェイス（無線インターフェイス）であり、無線基地局ＤｅＮＢと交換局ＭＭＥとの間のインターフェイス及びリレーノードＲＮと無線基地局ＤｅＮＢとの間のインターフェイスが、Ｓ１インターフェイスである。
【００１６】
移動局ＵＥは、物理レイヤ（ＰＨＹ）機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能とを具備している。
【００１７】
リレーノードＲＮは、Ｕｕインターフェイス側に、物理レイヤ（ＰＨＹ）機能と、ＭＡＣレイヤ機能と、ＲＬＣレイヤ機能と、ＰＤＣＰレイヤ機能と、ＲＲＣ機能とを具備している。
【００１８】
また、リレーノードＲＮは、Ｕｎインターフェイス側に、物理レイヤ（ＰＨＹ）機能と、ＭＡＣレイヤ機能と、ＲＬＣレイヤ機能と、ＲＲＣレイヤ機能と、ＵｎＡＰレイヤ機能とを具備している。
【００１９】
無線基地局ＤｅＮＢは、Ｕｎインターフェイス側に、物理レイヤ（ＰＨＹ）機能と、ＭＡＣレイヤ機能と、ＲＬＣレイヤ機能と、ＲＲＣレイヤ機能と、ＵｎＡＰレイヤ機能とを具備している。
【００２０】
また、無線基地局ＤｅＮＢは、Ｓ１インターフェイス側に、物理レイヤ（ＰＨＹ）機能と、ＮＷ-Ｌ２機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１-ＡＰレイヤ機能とを具備している。
【００２１】
交換局ＭＭＥは、物理レイヤ（ＰＨＹ）機能と、ＮＷ-Ｌ２機能と、ＩＰレイヤ機能と、ＳＣＴＰレイヤ機能と、Ｓ１-ＡＰレイヤ機能とを具備している。
【００２２】
ここで、Ｕｎインターフェイスにおいて、すなわち、リレーノードＲＮのＲＲＣレイヤ機能と無線基地局ＤｅＮＢのＲＲＣレイヤ機能との間で、ＲＲＣプロトコル（第１プロトコル）が終端するように構成されている。
【００２３】
また、Ｕｎインターフェイスにおいて、すなわち、リレーノードＲＮのＳ１-ＡＰレイヤ機能と無線基地局ＤｅＮＢのＳ１-ＡＰレイヤ機能との間で、ＲＲＣプロトコルの上位プロトコルであるＳ１-ＡＰプロトコル（第２プロトコル）が終端するように構成されている。
【００２４】
図２に示すように、無線基地局ＤｅＮＢは、Ｕｎインターフェイス１１と、Ｓ１インターフェイス１２と、Ｘ２インターフェイス１３とを具備している。
【００２５】
Ｕｎインターフェイス１１は、リレーノードＲＮとの間のインターフェイスとして機能し、Ｓ１インターフェイス１２は、交換局ＭＭＥとの間のインターフェイスとして機能し、Ｘ２インターフェイス１３は、周辺無線基地局ＤｅＮＢ又はｅＮＢとの間のインターフェイスとして機能する。
【００２６】
以下、図３を参照して、本実施形態に係る移動通信システムにおいて、リレーノードＲＮを無線基地局ＤｅＮＢに接続する動作について説明する。
【００２７】
図３に示すように、リレーノードＲＮは、ステップＳ１００１において、セルサーチ処理において無線基地局ＤｅＮＢを検出し、ステップＳ１００２において、無線基地局ＤｅＮＢに対して、「ＲＡＣＨ  ｐｒｅａｍｂｌｅ」を送信する。
【００２８】
ステップＳ１００３において、無線基地局ＤｅＮＢに対して、受信した「ＲＡＣＨ  ｐｒｅａｍｂｌｅ」に応じて、リレーノードＲＮに対して、「ＲＡＣＨ  ｒｅｓｐｏｎｓｅ」を送信する。
【００２９】
ステップＳ１００４において、リレーノードＲＮは、「ＲＡＣＨ  ｒｅｓｐｏｎｓｅ」によって割り当てられたリソースを用いて、無線基地局ＤｅＮＢに対して、「ＲＲＣ  Ｃｏｎｎｅｃｔｉｏｎ  Ｒｅｑｕｅｓｔ」を送信する。
【００３０】
ステップＳ１００５において、無線基地局ＤｅＮＢは、リレーノードＲＮに対して、「ＲＲＣ  Ｃｏｎｎｅｃｔｉｏｎ  Ｓｅｔｕｐ」を送信する。
【００３１】
ステップＳ１００６において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００３２】
ステップＳ１００７において、無線基地局ＤｅＮＢは、交換局ＭＭＥに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００３３】
ステップＳ１００８において、リレーノードＲＮと交換局ＭＭＥとの間で、認証処理及びセキュリティ処理が行われた後、ステップＳ１００９において、交換局ＭＭＥは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００３４】
ステップＳ１０１０において、無線基地局ＤｅＮＢは、リレーノードＲＮに対して、「ＲＲＣ  ＲＮ（ＵＥ）  Ｃａｐａｂｉｌｉｔｙ  Ｅｎｑｕｉｒｙ」を送信する。
【００３５】
ステップＳ１０１１において、リレーノードＲＮは、無線基地局ＤｅＮＢに対して、「ＲＲＣ  ＲＮ（ＵＥ）  Ｃａｐａｂｉｌｉｔｙ  Ｉｎｆｏｒｍａｔｉｏｎ」を送信する。
【００３６】
ステップＳ１０１２において、無線基地局ＤｅＮＢは、交換局ＭＭＥに対して、「ＲＲＣ  ＲＮ（ＵＥ）  Ｃａｐａｂｉｌｉｔｙ  Ｉｎｆｏ  Ｉｎｄｉｃａｔｉｏｎ」を送信する。
【００３７】
ステップＳ１０１３において、無線基地局ＤｅＮＢは、リレーノードＲＮに対して、「Ｓｅｃｕｒｉｔｙ  Ｍｏｄｅ  Ｃｏｍｍａｎｄ」を送信する。
【００３８】
ステップＳ１０１４において、無線基地局ＤｅＮＢは、リレーノードＲＮに対して、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００３９】
例えば、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、Ｓ１プロトコルを設定するために交換局ＭＭＥが必要とする第１所定情報、具体的には、「Ｔｒａｃｋｉｎｇ  Ａｒｅａ  Ｃｏｄｅ（ＴＡＣ）」、「ＰＬＭＮ（Ｐｕｂｌｉｃ  Ｌａｎｄ  Ｍｏｂｉｌｅ  Ｎｅｔｗｏｒｋ）-ＩＤ」及び「Ｃｌｏｓｅｄ  Ｓｕｂｓｃｒｉｂｅｒ  Ｇｒｏｕｐ  Ｉｄｅｎｔｉｆｉｃａｔｉｏｎ（ＣＳＧ-ＩＤ）」を選択して通知してもよい。
【００４０】
「ＴＡＣ」は、ＬＴＥ方式の移動通信システムにおける位置登録エリア（Ｔｒａｃｋｉｎｇ  Ａｒｅａ）を識別する情報であり、１つの位置登録エリアに対して固有のＴＡＣが割当てられる。
【００４１】
また、「ＰＬＭＮ-ＩＤ」は、移動局ＵＥが在圏しているセルで移動通信サービスを提供している事業者を識別する情報であり、１つの事業者に対して固有のＰＬＭＮ−ＩＤが割当てられる。
【００４２】
さらに、「ＣＳＧ-ＩＤ」は、特定の加入者のみに接続を許可し、サービスを提供する場合に、その特定の加入者の集合を識別する情報であり、１つの特定の加入者の集合に対して固有のＣＳＧ-ＩＤが割当てられる。
【００４３】
或いは、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、無線基地局ＤｅＮＢと周辺無線基地局ＤｅＮＢとの間で終端するＸ２プロトコルを設定するために周辺無線基地局ＤｅＮＢが必要とする第２所定情報、具体的には、「Ｓｅｒｖｅｄ  Ｃｅｌｌ  Ｉｎｆｏｒｍａｔｉｏｎ」を選択して通知してもよい。
【００４４】
ここで、「Ｓｅｒｖｅｄ  Ｃｅｌｌ  Ｉｎｆｏｒｍａｔｉｏｎ」には、「ＰＣＩ（Ｐｈｙｓｉｃａｌ  Ｃｅｌｌ  Ｉｄｅｎｔｉｔｙ）」や、「ＴＡＣ」や、「ＰＬＭＮ-ＩＤ」や、「ＦＤＤ  Ｉｎｆｏ」が含まれている。
【００４５】
「ＰＣＩ」は、物理層でセルを識別するための情報である。また、「ＦＤＤ  Ｉｎｆｏ」は、無線基地局ＤｅＮＢから移動局ＵＥへの下り通信と移動局ＵＥから無線基地局ＤｅＮＢへの上り通信とを異なる周波数で行うＦｒｅｑｕｅｎｃｙ  Ｄｉｖｉｓｉｏｎ  Ｄｕｐｌｅｘ方式に必要なパラメータを通知でする。具体的には、下り通信及び上り通信で用いる中心周波数を求めるためのパラメータである「Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ（ＥＡＲＦＣＮ）（非特許文献７参照）」及び帯域幅を通知する。
【００４６】
なお、無線基地局ＤｅＮＢは、上述の第１所定情報を、交換局ＭＭＥに通知してもよい。
【００４７】
リレーノードＲＮは、無線基地局ＤｅＮＢに対して、ステップＳ１０１５において、「Ｓｅｃｕｒｉｔｙ  Ｍｏｄｅ  Ｃｏｍｐｌｅｔｅ」を送信し、ステップＳ１０１６において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４８】
ステップＳ１０１７において、無線基地局ＤｅＮＢは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【００４９】
ステップＳ１０１８において、リレーノードＲＮは、交換局ＭＭＥに対して、「Ａｔｔａｃｈ  Ｃｏｍｐｌｅｔｅ」を送信する。
【００５０】
この結果、リレーノードＲＮのアタッチ処理が完了する。
【００５１】
その後、ステップＳ１０１９及びＳ１０２０において、無線基地局ＤｅＮＢが、リレーノードＲＮの代行として、交換局ＭＭＥとの間で、Ｓ１プロトコルの設定処理を行う。
【００５２】
具体的には、ステップＳ１０１９において、無線基地局ＤｅＮＢは、交換局ＭＭＥに対して、「Ｓ１  Ｓｅｔｕｐ  Ｒｅｑｕｅｓｔ」を送信し、ステップＳ１０２０において、交換局ＭＭＥは、無線基地局ＤｅＮＢに対して、「Ｓ１  Ｓｅｔｕｐ  Ｒｅｓｐｏｎｓｅ」を送信する。
【００５３】
或いは、ステップＳ１０２１及びＳ１０２２において、無線基地局ＤｅＮＢが、リレーノードＲＮの代行として、周辺無線基地局ＤｅＮＢ（ｅＮＢ）との間で、Ｘ２プロトコルの設定処理を行う。
【００５４】
具体的には、ステップＳ１０２１において、無線基地局ＤｅＮＢは、周辺無線基地局ＤｅＮＢ（ｅＮＢ）に対して、「Ｘ２  Ｓｅｔｕｐ  Ｒｅｑｕｅｓｔ」を送信し、ステップＳ１０２２において、周辺無線基地局ＤｅＮＢ（ｅＮＢ）は、無線基地局ＤｅＮＢに対して、「Ｘ２  Ｓｅｔｕｐ  Ｒｅｓｐｏｎｓｅ」を送信する。
【００５５】
ここで、上述のように、無線基地局ＤｅＮＢが、リレーノードＲＮのアタッチ処理において、上述の第１所定情報を、交換局ＭＭＥに通知している場合、かかるステップＳ１０１９及びＳ１０２０を省略することができる。
【００５６】
なお、図４に示すように、リレーノードＲＮは、かかるリレーノードＲＮと通信中の移動局ＵＥが、どの無線基地局ＤｅＮＢ（ｅＮＢ）或いはリレーノードＲＮにハンドオーバするかに関わらず、かかるリレーノードＲＮが接続中の無線基地局ＤｅＮＢに対して、「ＨＯ  Ｒｅｑｕｅｓｔ（ハンドオーバ要求信号）」を送信するように構成されている。
【００５７】
したがって、リレーノードＲＮは、周辺無線基地局ＤｅＮＢ（ｅＮＢ）に係る情報を管理する必要がなく、接続中の無線基地局ＤｅＮＢに係る情報を管理していればよい。
【００５８】
本発明の第１の実施形態に係る移動通信システムによれば、無線基地局ＤｅＮＢが、リレーノードＲＮの代わりに、交換局ＭＭＥとの間で、Ｓ１プロトコルの設定処理を行うように構成されているため、図５に示すステップＳ２０１９、Ｓ２０２２、Ｓ２０２３及びＳ２０２６の処理を省略することができ、効率的に、リレーノードＲＮを無線基地局ＤｅＮＢに接続することができる。
【００５９】
また、本発明の第１の実施形態に係る移動通信システムによれば、リレーノードＲＮのアタッチ処理において、無線基地局ＤｅＮＢが、交換局ＭＭＥに対して、第１所定情報を通知する場合、ステップＳ２０２０及びＳ２０２１の処理を省略することができ、より効率的に、リレーノードＲＮを無線基地局ＤｅＮＢに接続することができる。
【００６０】
以上に述べた本実施形態の特徴は、以下のように表現されていてもよい。
【００６１】
本実施形態の第１の特徴は、移動通信方法であって、リレーノードＲＮと無線基地局ＤｅＮＢとの間で、ＲＲＣプロトコル（第１プロトコル）及びＲＲＣプロトコルの上位プロトコルであるＳ１プロトコル（第２プロトコル）が終端する移動通信システムにおいて、リレーノードＲＮを無線基地局ＤｅＮＢに接続する移動通信方法であって、ＲＲＣプロトコルを設定する手順において、無線基地局ＤｅＮＢが、リレーノードＲＮに対して、Ｓ１プロトコルを設定するために交換局ＭＭＥが必要とする「ＴＡＣ」、「ＰＬＭＮ-ＩＤ」及び「ＣＳＧ-ＩＤ」を通知する工程Ａと、無線基地局ＤｅＮＢが、交換局ＭＭＥに対して、「ＴＡＣ」、「ＰＬＭＮ-ＩＤ」及び「ＣＳＧ-ＩＤ」を通知する工程Ｂとを有することを要旨とする。
【００６２】
本実施形態の第１の特徴において、ＲＲＣプロトコルを設定する手順において、工程Ｂを行ってもよい。
【００６３】
本実施形態の第１の特徴において、ＲＲＣプロトコルを設定する手順において、無線基地局ＤｅＮＢが、リレーノードＲＮに対して、無線基地局ＤｅＮＢと周辺無線基地局ＤｅＮＢとの間で終端するＸ２プロトコル（第３プロトコル）を設定するために周辺無線基地局ＤｅＮＢが必要とする「Ｓｅｒｖｅｄ  Ｃｅｌｌ  Ｉｎｆｏｒｍａｔｉｏｎ」を通知する工程を更に有してもよい。
【００６４】
本実施形態の第２の特徴は、リレーノードＲＮと無線基地局ＤｅＮＢとの間で、ＲＲＣプロトコル及びＳ１プロトコルが終端する移動通信システムにおいて用いられる無線基地局ＤｅＮＢであって、ＲＲＣプロトコルを設定する手順において、リレーノードＲＮに対して、Ｓ１プロトコルを設定するために交換局ＭＭＥが必要とする「ＴＡＣ」、「ＰＬＭＮ-ＩＤ」及び「ＣＳＧ-ＩＤ」を通知するように構成されているＵｎインターフェイス１１（リレーノード側インターフェイス）と、交換局ＭＭＥに対して、「ＴＡＣ」、「ＰＬＭＮ-ＩＤ」及び「ＣＳＧ-ＩＤ」を通知するように構成されているＳ１インターフェイス１２（交換局側インターフェイス）とを具備することを要旨とする。
【００６５】
本実施形態の第２の特徴において、Ｓ１インターフェイス１２は、ＲＲＣプロトコルを設定する手順において、交換局ＭＭＥに対して、「ＴＡＣ」、「ＰＬＭＮ-ＩＤ」及び「ＣＳＧ-ＩＤ」を通知するように構成されていてもよい。
【００６６】
本実施形態の第２の特徴において、Ｕｎインターフェイス１１は、ＲＲＣプロトコルを設定する手順において、リレーノードＲＮに対して、無線基地局ＤｅＮＢと周辺無線基地局ＤｅＮＢとの間で終端するＸ２プロトコルを設定するために周辺無線基地局ＤｅＮＢが必要とする「Ｓｅｒｖｅｄ  Ｃｅｌｌ  Ｉｎｆｏｒｍａｔｉｏｎ」を通知するように構成されていてもよい。
【００６７】
なお、上述の無線基地局ＤｅＮＢやリレーノードＲＮや移動局ＵＥや交換局ＭＭＥの動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥや交換局ＭＭＥ内に設けられていてもよい。また、かかる記憶媒体及びプロセッサは、ディスクリートコンポーネントとして無線基地局ＤｅＮＢやリレーノードＲＮや移動局ＵＥや交換局ＭＭＥ内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
ＲＮ…リレーノード
ＤｅＮＢ…無線基地局
ＭＭＥ…交換局
ＵＥ…移動局
【図１】
2011023873.tif 000003
【図２】
2011023873.tif 000004
【図３】
2011023873.tif 000005
【図４】
2011023873.tif 000006
【図５】
2011023873.tif 000007